(57)【特許請求の範囲】
【請求項１】
クリップ部材と、前記クリップ部材に取り付けられる弾性部材とを有し、
前記クリップ部材が、前記弾性部材を係止するための係止部を有し、
前記弾性部材が、前記クリップ部材に挿入され、弾性部材の持つ弾性を利用して前記係止部によって係止されて、前記クリップ部材に取り付けられるクリップであって、
前記弾性部材が、筆記具等の筒体に取り付けられる固定部と、前記係止部と係合する取付部と、前記固定部と前記取付部とを接続する湾曲部とを有し、
前記係止部が、前記クリップ部材の中心線方向に突出する係止片を有し、
前記取付部が、前記クリップ部材の裏面後端側から挿入され、
前記弾性部材が、前記取付部の前端と前記湾曲部とがそれぞれ前記クリップ部材の裏面を押圧し、前記取付部が前記係止片をクリップ部材の裏面から離れる方向に押圧することで、前記クリップ部材に係止されることを特徴とするクリップ。
【請求項２】
クリップ部材と、前記クリップ部材に取り付けられる弾性部材とを有し、
前記クリップ部材が、前記弾性部材を係止するための係止部を有し、
前記弾性部材が、前記クリップ部材に挿入され、弾性部材の持つ弾性を利用して前記係止部によって係止されて、前記クリップ部材に取り付けられるクリップであって、
前記弾性部材が、筆記具等の筒体に取り付けられる固定部と、先端方向に伸びる延出部を備え前記係止部と係合する取付部と、前記固定部と前記取付部とを接続する湾曲部とを有し、
前記係止部が、前記クリップ部材の中心線方向に突出する第一の係止片と、前記第一の係止片の一端から突出する第二の係止片と、前記第二の係止片の一端から後端方向に突出する第三の係止片とを有し、
前記取付部が、前記クリップ部材の裏面後端側から挿入され、
前記弾性部材が、前記延出部と前記湾曲部とがそれぞれ前記クリップ部材の裏面を押圧し、前記取付部が前記第一の係止片と第三の係止片とによって挟持され、かつ前記第一の係止片をクリップ部材の裏面から離れる方向に押圧することで、前記クリップ部材に係止されることを特徴とするクリップ。
【請求項３】
クリップ部材と、前記クリップ部材に取り付けられる弾性部材とを有し、
前記クリップ部材が、前記弾性部材を係止するための係止部を有し、
前記弾性部材が、前記クリップ部材に挿入され、弾性部材の持つ弾性を利用して前記係止部によって係止されて、前記クリップ部材に取り付けられるクリップであって、
前記弾性部材が、筆記具等の筒体に取り付けられる固定部と、前記係止部と係合する取付部と、前記固定部と前記取付部とを接続する湾曲部とを有し、
前記係止部が、前記クリップ部材の中心線方向に突出する第一の係止片と、前記第一の係止片の一端から突出する第二の係止片と、前記第二の係止片の一端から前記クリップ部材の中心線方向に突出する第三の係止片とを有し、
前記取付部の前端部が前記クリップ部材の裏面先端側から挿入されて後端方向にスライドされ、続いて前記弾性部材の後部がクリップ部材の裏面に挿入され、
前記弾性部材が、前記湾曲部が前記クリップ部材の裏面を押圧し、前記取付部が前記第三の係止片をクリップ部材の裏面の方向に押圧し、かつ前記第一の係止片をクリップ部材の裏面から離れる方向に押圧することで、前記クリップ部材に係止されることを特徴とするクリップ。
【請求項４】
請求項１ないし３のいずれか１項に記載のクリップを有することを特徴とする筆記具。
【発明の詳細な説明】
【技術分野】
【０００１】
本発明は、クリップ及びクリップを有する筆記具に関する。特にクリップ部材と弾性部材との２部材からなるクリップ及びこのクリップを有する筆記具に関するものである。
【背景技術】
【０００２】
従来から、筆記具、塗布具や化粧具等の軸筒やキャップ部等の筒体に装着されて使用されるクリップとして、クリップ部材と弾性部材との２部材からなるクリップが知られている。
【０００３】
クリップの機能の一つとしては、衣服等の被挟持物を挟持して、筆記具等を被挟持物に保持することがあり、そのためにクリップは弾性を有する必要がある。クリップを一部材で構成する場合には、クリップ本体に弾性を持たせる必要があるため、クリップ部材に該当する部分を薄く扁平な形状等にしなければならない。
【０００４】
一方で、クリップの別の機能としては、クリップ自体、延いては該クリップの装着される筆記具等に高級感を持たせることがある。クリップを一部材で構成する場合には、上述のようにクリップ部材に該当する部分の形状が限定されてしまうため、高級感を出すことができない。そこで、クリップを２部材で構成し、弾性部材に弾性を持たせることで、クリップ部材に十分な弾性を持たせることができない形状、例えば厚みのある丸みを帯びた形状等にすることができ、これにより、高級感を出すことが可能となる。
【０００５】
このようなクリップとしては、例えば、係止孔が穿設された取付部を有するバネ体と、抱持片を突設した樋形のクリップ扞とからなる筆記具用クリップが提案されている（例えば、特許文献１参照）。この筆記具用クリップは、バネ体の取付部をクリップ扞の抱持片の裏側にクリップ扞の先端方向から挿入し、抱持片を係止孔内に折曲してバネ体をクリップ扞に固着することで一体的に形成されるものである。
【０００６】
また、クリップ部と弾性部との２部材で構成される金属製クリップであって、クリップ部の裏面に弾性部を重ね合わせて、クリップ部の裏面の両側起立縁内側を弾性部に向けて潰す加工を施すことで、弾性部の両側縁を挟持する固着部を形成し、これによりクリップ部に弾性部を取り付けるものが提案されている（例えば、特許文献２参照）。
【特許文献１】実公平３−７１８１号公報
【特許文献２】特開２００５−１３１８１７号公報
【発明の開示】
【発明が解決しようとする課題】
【０００７】
しかしながら、従来例に係るクリップにおいては、クリップ部材に弾性部材を取り付ける際に、折曲処理や潰し加工を施していた。そのため、これらの処理、加工によって、クリップ部材及び弾性部材に施された塗装やメッキが剥離してしまい、外観上の美しさを損なうという問題があった。
【０００８】
一方、折曲処理や潰し加工後にクリップにメッキ処理等を施した場合には、クリップへの均一なメッキ等の処理が困難であり、やはり外観上の美しさを損なうという問題があった。
【０００９】
本発明は、このような問題点に鑑みて為されたものであり、その目的とする処は、外観上の美しさを損なうことなくクリップ部材に弾性部材を取り付けることが可能なクリップ及びこのクリップを有する筆記具を提供することにある。
【課題を解決するための手段】
【００１０】
本発明は、下記の技術的構成により前記目的を達成できたものである。
【００１１】
（１）クリップ部材と、前記クリップ部材に取り付けられる弾性部材とを有し、前記クリップ部材が、前記弾性部材を係止するための係止部を有し、前記弾性部材が、前記クリップ部材に挿入され、弾性部材の持つ弾性を利用して前記係止部によって係止されて、前記クリップ部材に取り付けられるクリップであって、前記弾性部材が、筆記具等の筒体に取り付けられる固定部と、前記係止部と係合する取付部と、前記固定部と前記取付部とを接続する湾曲部とを有し、前記係止部が、前記クリップ部材の中心線方向に突出する係止片を有し、前記取付部が、前記クリップ部材の裏面後端側から挿入され、前記弾性部材が、前記取付部の前端と前記湾曲部とがそれぞれ前記クリップ部材の裏面を押圧し、前記取付部が前記係止片をクリップ部材の裏面から離れる方向に押圧することで、前記クリップ部材に係止されることを特徴とするクリップ。
（２）クリップ部材と、前記クリップ部材に取り付けられる弾性部材とを有し、前記クリップ部材が、前記弾性部材を係止するための係止部を有し、前記弾性部材が、前記クリップ部材に挿入され、弾性部材の持つ弾性を利用して前記係止部によって係止されて、前記クリップ部材に取り付けられるクリップであって、前記弾性部材が、筆記具等の筒体に取り付けられる固定部と、先端方向に伸びる延出部を備え前記係止部と係合する取付部と、前記固定部と前記取付部とを接続する湾曲部とを有し、前記係止部が、前記クリップ部材の中心線方向に突出する第一の係止片と、前記第一の係止片の一端から突出する第二の係止片と、前記第二の係止片の一端から後端方向に突出する第三の係止片とを有し、前記取付部が、前記クリップ部材の裏面後端側から挿入され、前記弾性部材が、前記延出部と前記湾曲部とがそれぞれ前記クリップ部材の裏面を押圧し、前記取付部が前記第一の係止片と第三の係止片とによって挟持され、かつ前記第一の係止片をクリップ部材の裏面から離れる方向に押圧することで、前記クリップ部材に係止されることを特徴とするクリップ。
（３）クリップ部材と、前記クリップ部材に取り付けられる弾性部材とを有し、前記クリップ部材が、前記弾性部材を係止するための係止部を有し、前記弾性部材が、前記クリップ部材に挿入され、弾性部材の持つ弾性を利用して前記係止部によって係止されて、前記クリップ部材に取り付けられるクリップであって、前記弾性部材が、筆記具等の筒体に取り付けられる固定部と、前記係止部と係合する取付部と、前記固定部と前記取付部とを接続する湾曲部とを有し、前記係止部が、前記クリップ部材の中心線方向に突出する第一の係止片と、前記第一の係止片の一端から突出する第二の係止片と、前記第二の係止片の一端から前記クリップ部材の中心線方向に突出する第三の係止片とを有し、前記取付部の前端部が前記クリップ部材の裏面先端側から挿入されて後端方向にスライドされ、続いて前記弾性部材の後部がクリップ部材の裏面に挿入され、前記弾性部材が、前記湾曲部が前記クリップ部材の裏面を押圧し、前記取付部が前記第三の係止片をクリップ部材の裏面の方向に押圧し、かつ前記第一の係止片をクリップ部材の裏面から離れる方向に押圧することで、前記クリップ部材に係止されることを特徴とするクリップ。
（４）前記（１）ないし（３）のいずれか１項に記載のクリップを有することを特徴とする筆記具。
【発明の効果】
【００１６】
本発明によれば、外観上の美しさを損なうことなくクリップ部材に弾性部材を取り付けることが可能なクリップ及びこのクリップを有する筆記具を提供することができる。
【発明を実施するための最良の形態】
【００１７】
以下本発明の実施例について、図面を参照しながら説明する。
【００１８】
ただし、この実施例に記載されている構成部品の寸法、材質、形状、その相対配置等は、特に特定的な記載がない限りは、この発明の範囲をそれらのみに限定する趣旨のものではない。
【実施例１】
【００１９】
以下、請求項２の発明に係る実施例のクリップについて図１ないし１０を用いて説明する。
【００２０】
本実施例に係るクリップは筆記具や化粧具等の軸筒やキャップ部等の筒体に装着されて使用されるものであり、クリップ部材１と弾性部材２とを有する。
【００２１】
図１はクリップ部材１の底面図、図２はクリップ部材１の中央横断面図である。また、図３の（ａ）は図２におけるＡ−Ａ線断面端面図、（ｂ）は図２におけるＢ−Ｂ線断面端面図、（ｃ）は図２におけるＣ−Ｃ線断面端面図である。
【００２２】
クリップ部材１は、表面部１１と、表面部１１の前端部を裏側に折り返して形成された玉部１２を有する。
【００２３】
表面部１１の裏面端部側には係止部１３が形成されている。係止部１３は、図３に示すように、表面部１１端部からクリップ部材１の中心線方向に表面部１１側壁に対して略直角に突出する係止片１３ａ及び１３ｃと、クリップ部材１の中心線方向に表面部１１側壁に対して鋭角に突出する係止片１３ｂとから成る。
【００２４】
次に弾性部材２について説明する。
【００２５】
図４は弾性部材２の底面図、図５は弾性部材２の側面図、図６は弾性部材２の背面図である。
【００２６】
弾性部材２は弾性を有する所望の金属板等から形成され、その一端側（後端側）に、図９に示す筒体３に固定するための丸孔２１ａが穿設された固定部２１を有する（図６参照）。しかしながら、固定部２１の形状は特にこれに限定されない。
【００２７】
固定部２１には、筒体３の軸心に対して略平行となるように折り曲げられた湾曲部２２が連設される。湾曲部２２は上方に膨らむように折り曲げられ、頭頂部２２ａが形成されている。湾曲部２２の固定部２１との反対端には取付部２３が連設される。
【００２８】
取付部２３は、後述するように係止片１３ｂが嵌合する嵌合凹部２４と、嵌合凹部２４を挟んで先端側及び後端側にそれぞれ係止段部２５ａ及び２５ｂを有する。係止段部２５ａの先端側には、弾性部材２の先端方向に向かって、筒体３の軸心から離間する方向（図面上方向）に傾斜する傾斜部２６と、傾斜部２６から先端方向に伸びる開放前端部２７が設けられている。
【００２９】
また、取付部２３の両側面には広幅部２８ａ及び２８ｂが配設されている。広幅部２８ａ及び２８ｂは、弾性部材２がクリップ部材１に取り付け可能な程度に、広幅部２８ａ及び２８ｂが当接する位置のクリップ部材１の幅よりも広い幅を持つ。
【００３０】
続いて、クリップ部材１に弾性部材２を取り付ける手順を説明する。
【００３１】
図７（ａ）、（ｂ）、（ｃ）は、クリップ部材１に弾性部材２を取り付ける手順を説明する図であり、図７（ｃ）は図７（ｂ）におけるＤ−Ｄ線断面端面図である。また、図８は取り付け後の状態を示す底面図、図９は取り付け後の状態を示す中央横断面図である。また図１０（ａ）は、図８におけるＥ−Ｅ線断面端面図、図１０（ｂ）は、図８におけるＦ−Ｆ線断面端面図、図１０（ｃ）は、図８におけるＧ−Ｇ線断面端面図、図１０（ｄ）は、図８におけるＨ−Ｈ線断面端面図、図１０（ｅ）は、図８におけるＩ−Ｉ線断面端面図である。
【００３２】
クリップ部材１に弾性部材２を取り付ける場合、図７（ａ）に示すように、クリップ部材１の裏面後端側から、先端方向（図中の黒色矢印方向）に向けて弾性部材２の取付部２３を挿入していく。弾性部材２は、取付部２３の開放前端部２７がクリップ部材１の裏面に摺接した状態で挿入される（図７（ｃ））。
【００３３】
図７（ｂ）に示す位置まで弾性部材２が挿入されると、傾斜部２６が係止片１３ｃの後端部に当接する。これにより挿入方向に対して抵抗が生じ、挿入が抑止される。この抵抗に逆らってさらに先端方向に力を加えると、傾斜部２６と係止片１３ｃとの当接部を支点として開放前端部２７に下向きの力が掛かり、弾性部材２が自身の持つ弾性によって変形する。この変形により、傾斜部２６の後端側と前端側との高低差が小さくなり、引き続き先端方向への弾性部材２の挿入が可能となる。
【００３４】
弾性部材２をさらに挿入すると、図８、図９に示す位置まで到達し、この位置で、弾性部材２がその復元力によって元の形状に戻ろうとするため、クリップ部材１の裏面に対して開放前端部２７及び湾曲部２２の頭頂部２２ａが当接し、クリップ部材１に上方向（図９中の矢印Ｉ及びＩＩ方向）の圧力が掛かる（図１０（ａ）及び（ｅ））。一方、取付部２３の裏面が係止片１３ａ及び１３ｃに当接し（図１０（ｂ）及び（ｄ））、クリップ部材１に下方向（図９中の矢印ＩＩＩ方向）の圧力が掛かる。これにより、弾性部材２がクリップ部材１の裏面と係止部１３に挟持された状態でクリップ部材１に係止される。また、クリップ部材１に対する弾性部材２の上下方向（図９の図面上下方向）の位置決めが為される。
【００３５】
さらに本実施例においては、この状態で係止片１３ｂが嵌合凹部２４に嵌合する（図１０（ｃ））。また、係止段部２５ａ及び２５ｂの側面が、それぞれ係止片１３ａの先端側側面及び係止片１３ｃの後端側側面に当接する。これにより、クリップ部材１に対する弾性部材２の前後方向（挿入方向、図９の図面左右方向）の位置決めが為される。
【００３６】
また、広幅部２８ａ及び２８ｂがそれぞれクリップ部材１の表面部１１側壁に挟持され、また、嵌合凹部２４に嵌合した係止片１３ｂは、嵌合凹部２４の側面を挟持する（図１０（ｃ））。さらに、湾曲部２２の頭頂部２２ａが表面部１１側壁に挟持される（図１０（ｅ））。これによりクリップ部材１に対する弾性部材２の左右方向（図９の図面前後方向）の位置決めが為される。
【００３７】
以上のように、クリップ部材１に対する弾性部材２の上下前後左右方向の位置決めがなされ、弾性部材２はクリップ部材１に固定される。このようにして形成されたクリップは、弾性部材の弾性によってクリップ部材の玉部が筆記具等の筒体に付勢接触され、これにより被挟持物を挟持するものである。
【実施例２】
【００３８】
以下に、請求項３の発明に係る実施例のクリップについて図１１ないし２０を用いて説明する。
【００３９】
本実施例に係るクリップは、クリップ部材１の係止部及び弾性部材２の取付部の構造が実施例１と異なるものであり、それ以外の点は実施例１に係るクリップと同一の構成を有するものである。本実施例については、実施例１と異なる構成のみについて説明し、同一の構成については同一の符号を付し、説明は省略する。
【００４０】
クリップ部材１について説明する。
【００４１】
図１１はクリップ部材１の底面図、図１２はクリップ部材１の中央横断面図である。また、図１３の（ａ）は図１１及び図１２におけるＪ−Ｊ線断面端面図、（ｂ）は図１１及び図１２におけるＫ−Ｋ線断面端面図である。
【００４２】
表面部１１の裏面端部側には係止部２１３が形成されている。係止部２１３は、図１３に示すように、表面部１１端部からクリップ部材１の中心線方向に表面部１１側壁に対して略直角に突出する第一の係止片２１３ａと、該第一の係止片２１３ａの開放端側から上方向に第一の係止片２１３ａに対して略直角に、すなわち表面部１１側壁に対して略平行に突出する第二の係止片２１３ｂと、該第二の係止片２１３ｂからクリップ後端方向に伸びる第三の係止片２１３ｃとから成る。
【００４３】
次に弾性部材２について説明する。
【００４４】
図１４は弾性部材２の平面図、図１５は弾性部材２の中央横断面図、図１６（ａ）は図１４及び図１５におけるＬ−Ｌ線断面端面図、図１６（ｂ）は図１４及び図１５におけるＭ−Ｍ線断面端面図である。
【００４５】
取付部２２３は、後述するように第三の係止片２１３ｃが嵌合する嵌合溝２２４を有する。また、取付部２２３には先端方向に伸びる２本の延出部２２５が設けられ、延出部２２５の前端は上方に屈曲しており、延出部２２５の内側面には、突起部２２６が配設されている。延出部２２５の内幅は第一の係止片２１３ａの幅と略等しい。
【００４６】
続いて、クリップ部材１に弾性部材２を取り付ける手順を説明する。
【００４７】
図１７は、クリップ部材１に弾性部材２を取り付ける手順を説明する図である。また、図１８は取り付け後の状態を示す底面図、図１９は取り付け後の状態を示す中央横断面図である。また図２０（ａ）は、図１８及び図１９におけるＮ−Ｎ線断面端面図、図２０（ｂ）は、図１８及び図１９におけるＯ−Ｏ線断面端面図、図２０（ｃ）は、図１８及び図１９におけるＰ−Ｐ線断面端面図、図２０（ｄ）は、図１８及び図１９におけるＱ−Ｑ線断面端面図である。
【００４８】
クリップ部材１に弾性部材２を取り付ける場合、図１７に示すように、クリップ部材１の裏面後端側から、先端方向（図中の矢印方向）に向けて弾性部材２の取付部２２３を挿入していく。弾性部材２は、取付部２２３の延出部２２５前端がクリップ部材１の裏面に摺接した状態で挿入される。
【００４９】
延出部２２５の前端は上方に屈曲しているため、延出部２２５の裏面が第一の係止片２１３ａの後端部に当接する。これにより挿入方向に対して抵抗が生じ、挿入が抑止される。そのため、延出部２２５の裏面と第一の係止片２１３ａの後端部との当接部を支点として弾性部材２の後部に下方向の力を加え、弾性部材２を撓み変形させる。このように弾性部材２の弾性を利用して弾性部材２を変形させることで、延出部２２５の裏面と第一の係止片２１３ａの後端部とが互いに密接した状態でスライド可能となり、引き続き先端方向への挿入が可能となる。
【００５０】
弾性部材２を先端方向にさらに挿入すると、延出部２２５の内側面に配設された突起部２２６が第二の係止片２１３ｂの後端側面に当接し、挿入が抑止される。ここでさらに先端方向に力を加えると、突起部２２６によって第二の係止片２１３ｂが中心線方向に閉じるように僅かに変形する。これにより弾性部材２の先端方向へのさらなる挿入が可能となる。
【００５１】
さらに挿入すると、第三の係止片２１３ｃが嵌合溝２２４に嵌合する（図２０（ｃ））。弾性部材２が図１８及び図１９に示す位置に到達すると、弾性部材２がその復元力によって元の形状に戻ろうとするため、クリップ部材１の裏面に対して延出部２２５の前端部及び湾曲部２２の頭頂部２２ａが当接し、クリップ部材１に上方向（図１９中の矢印Ｉ及びＩＩ方向）の圧力が掛かる（図２０（ａ）及び（ｄ））。一方、取付部２２３及び延出部２２５の裏面が係止片２１３ａに当接し（図２０（ｂ）及び（ｃ））、クリップ部材１に下方向（図１９中の矢印ＩＩＩ方向）の圧力が掛かる。したがって、弾性部材２はクリップ部材１の裏面と第一の係止片２１３ａに挟持された状態となる。また、弾性部材２は第一の係止片２１３ａ及び第三の係止片２１３ｃに挟持される（図２０（ｃ））。これにより、弾性部材２がクリップ部材１に係止される。また、クリップ部材１に対する弾性部材２の上下方向（図１９の図面上下方向）の位置決めが為される。
【００５２】
さらに本実施例においては、突起部２２６が第二の係止片２１３ｂを通過して、弾性部材２が図１８及び図１９に示す位置に到達すると、第二の係止片２１３ｂはその復元力により元の状態に戻り、延出部２２５の内側面に当接する（図２０（ｂ））。さらに、延出部２２５及び湾曲部２２の頭頂部２２ａの側面がそれぞれ表面部１１側壁に当接する。これにより、クリップ部材１に対する弾性部材２の左右方向（図１９の図面前後方向）の位置決めが為される。
【００５３】
また、この状態で、突起部２２６の後端面と第二の係止片２１３ｂの前端面が当接し、また取付部２２３の前端面と第二の係止片２１３ｂの後端面が当接する。これにより、クリップ部材１に対する弾性部材２の前後方向（挿入方向、図１９の図面左右方向）の位置決めが為される。
【００５４】
以上のように、クリップ部材１に対する弾性部材２の上下前後左右方向の位置決めがなされ、弾性部材２はクリップ部材１に固定される。
【実施例３】
【００５５】
以下に、請求項４の発明に係る実施例のクリップについて図２１ないし３０を用いて説明する。
【００５６】
本実施例に係るクリップは、クリップ部材１の係止部及び、弾性部材２の取付部及び湾曲部の構造が実施例１及び２と異なるものであり、それ以外の点は実施例１及び２に係るクリップと同一の構成を有するものである。本実施例については、実施例１及び２と異なる構成のみについて説明し、同一の構成については同一の符号を付し、説明は省略する。
【００５７】
クリップ部材１について説明する。
【００５８】
図２１はクリップ部材１の底面図、図２２はクリップ部材１の中央横断面図である。また、図２３の（ａ）は図２２におけるＲ−Ｒ線断面端面図、（ｂ）は図２２におけるＳ−Ｓ線断面端面図、（ｃ）は図２２におけるＴ−Ｔ線断面端面図である。
【００５９】
表面部１１の裏面端部側には係止部３１３が形成されている。係止部３１３は、図２３に示すように、表面部１１端部からクリップ部材１の中心線方向に表面部１１側壁に対して略直角に突出する第一の係止片３１３ａと、該第一の係止片３１３ａの開放端側から上方向に第一の係止片３１３ａに対して略直角に、すなわち表面部１１側壁に対して略平行に突出する第二の係止片３１３ｂと、該第二の係止片３１３ｂの開放端側からクリップ部材１の中心線方向に第二の係止片３１３ｂに対して略直角に、すなわち第一の係止片３１３ａに対して略平行に伸びる第三の係止片３１３ｃとから成る。また、第一の係止片３１３ａは、その後端部において、上方向に僅かに屈曲する屈曲部３１３ｄを有する。
【００６０】
次に弾性部材２について説明する。
【００６１】
図２４は弾性部材２の平面図、図２５は弾性部材２の側面図、図２６は図２５におけるＵ−Ｕ線断面端面図である。
【００６２】
固定部２１には、筒体３の軸心に対して略平行になるように折り曲げられた湾曲部２２が連設される。
【００６３】
取付部３２３は、後述するように第三の係止片３１３ｃが嵌合する嵌合凹部３２４と、図２６に示すように断面略台形状の縁欠部３２５を有する。また、縁欠部３２５の先端側には、嵌合凹部３２４を含む細幅部３２６が形成され、細幅部３２６の先端側には、細幅部３２６に対して幅の広い開放前端部３２７が連設される。細幅部３２６の幅は、向かい合う第一の係止片３１３ａの開放端間の距離と略等しい。
【００６４】
続いて、クリップ部材１に弾性部材２を取り付ける手順を説明する。
【００６５】
図２７は、クリップ部材１に弾性部材２を取り付ける手順を説明する図であって、図２７（ｃ）は図２７（ａ）におけるＶ−Ｖ線断面端面図、図２７（ｄ）は図２７（ｂ）におけるＷ−Ｗ線断面端面図、図２７（ｅ）は図２７（ｂ）におけるＸ−Ｘ線断面端面図、図２７（ｆ）は図２７（ｂ）におけるＹ−Ｙ線断面端面図である。また、図２８は取り付け後の状態を示す底面図、図２９は取り付け後の状態を示す中央横断面図である。また図３０（ａ）は、図２８におけるＺ−Ｚ線断面端面図、図３０（ｂ）は、図２８におけるα−α線断面端面図、図３０（ｃ）は、図２８におけるβ−β線断面端面図、図３０（ｄ）は、図２８におけるγ−γ線断面端面図、図３０（ｅ）は、図２８におけるδ−δ線断面端面図である。
【００６６】
クリップ部材１に弾性部材２を取り付ける場合、図２７（ａ）に示すように、まずクリップ部材１裏面の係止部３１３よりも先端側に弾性部材２の開放前端部３２７を挿入する。続いて、開放前端部３２７を第一の係止片３１３ａの上方に、縁欠部３２５よりも後端側を第一の係止片３１３ａの下方に位置させた状態で弾性部材２を後端方向（図２７（ａ）中の黒色矢印方向）にスライドさせる。その際、細幅部３２６が向かい合う第一の係止片３１３ａの間を通過する。弾性部材２は、開放前端部３２７の前端がクリップ部材１の裏面に摺接した状態でスライドする（図２７（ｃ））。
【００６７】
図２７（ｂ）に示す位置まで到達すると、開放前端部３２７の後端面が第二の係止片３１３ｂの前端面に当接し、これにより後端方向への移動が抑止される。続いて弾性部材２の後部を上方向（図２７（ｂ）の黒色矢印方向）に移動させると、縁欠部３２５の縁欠部分が屈曲部３１３ｄに当接する。これにより抵抗が生じるがさらに上方向に力を加えると、縁欠部３２５に圧されてクリップ部材１が外側に開く方向に僅かに変形し（図２７（ｆ））、縁欠部３２５が屈曲部３１３ｄを通過可能となる。縁欠部３２５が屈曲部３１３ｄを乗り越えると、屈曲部３１３ｄは自身の復元力により元の状態に戻り、縁欠部３２５の底面が屈曲部３１３ｄに係止される（図３０（ｄ））。
【００６８】
この状態で、弾性部材２の有する弾性により、クリップ部材１の裏面に対して湾曲部２２が当接し、クリップ部材１に上方向（図２９中の矢印ＩＶ方向）の圧力が掛かる（図３０（ｅ））。また、第三の係止片３１３ｃに嵌合凹部３２４が当接し、クリップ部材１に上方向（図２９中の矢印ＩＩＩ方向）の圧力が掛かる（図３０（ｃ））。また、屈曲部３１３ｄに縁欠部３２５の裏面が当接し、クリップ部材１に下方向（図２９中の矢印ＩＩ方向）の圧力が掛かる（図３０（ｄ））。さらに、第一の係止片３１３ａに開放前端部３２７の裏面が当接し、クリップ部材１に下方向（図２９中の矢印Ｉ方向）の圧力が掛かる（図３０（ａ））。これにより、弾性部材２がクリップ部材１に係止される。また、クリップ部材１に対する弾性部材２の上下方向（図２９の図面上下方向）の位置決めが為される。
【００６９】
さらに本実施例においては、この状態で、嵌合凹部３２４に第三の係止片３１３ｃが嵌合し（図３０（ｃ））、細幅部３２６の側面が第二の係止片３１３ｂに挟持される（図３０（ｂ）及び（ｃ））。また、湾曲部２２が表面部１１側壁に挟持される（図３０（ｅ））。これにより、クリップ部材１に対する弾性部材２の左右方向（図２９の図面前後方向）の位置決めが為される。
【００７０】
また、開放前端部３２７の後端面が第二の係止片３１３ｂの前端面に当接し、縁欠部３２５の前端面が第二の係止片３１３ｂの後端面に当接する。さらに、嵌合凹部３２４の先端側及び後端側の側面がそれぞれ、第三の係止片３１３ｃの前端面及び後端面に当接する。これにより、クリップ部材１に対する弾性部材２の前後方向（図２９の図面左右方向）の位置決めが為される。
【００７１】
以上のように、クリップ部材１に対する弾性部材２の上下前後左右方向の位置決めがなされ、弾性部材２はクリップ部材１に固定される。
【００７２】
以上説明したように、実施例１ないし３によれば、弾性部材の持つ弾性を利用して弾性部材をクリップ部材の裏面及び係止部に当接させて、弾性部材をクリップ部材に係止させる。これにより、折曲処理や潰し加工を施すことなく、クリップ部材に弾性部材を取り付けることができる。そのため、メッキ等の剥離を回避し、外観上の美しさを損なうことなくクリップ部材に弾性部材を取り付けることが可能となる。
【図面の簡単な説明】
【００７３】
【図１】実施例１に係るクリップ部材の底面図
【図２】クリップ部材の中央横断面図
【図３】（ａ）、（ｂ）、（ｃ）はクリップ部材の断面端面図
【図４】弾性部材の底面図
【図５】弾性部材の側面図
【図６】弾性部材の背面図
【図７】（ａ）、（ｂ）、（ｃ）は、クリップ部材に弾性部材を取り付ける手順を説明する図
【図８】取り付け後の状態を示す底面図
【図９】取り付け後の状態を示す中央横断面図
【図１０】（ａ）、（ｂ）、（ｃ）、（ｄ）、（ｅ）は、クリップの断面端面図
【図１１】実施例２に係るクリップ部材の底面図
【図１２】クリップ部材の中央横断面図
【図１３】（ａ）、（ｂ）はクリップ部材の断面端面図
【図１４】弾性部材の平面図
【図１５】弾性部材の中央横断面図
【図１６】（ａ）、（ｂ）は弾性部材の断面端面図
【図１７】クリップ部材に弾性部材を取り付ける手順を説明する図
【図１８】取り付け後の状態を示す底面図
【図１９】取り付け後の状態を示す中央横断面図
【図２０】（ａ）、（ｂ）、（ｃ）、（ｄ）はクリップの断面端面図
【図２１】実施例３に係るクリップ部材の底面図
【図２２】クリップ部材の中央横断面図
【図２３】（ａ）、（ｂ）、（ｃ）はクリップ部材の断面端面図
【図２４】弾性部材の平面図
【図２５】弾性部材の側面図
【図２６】弾性部材の断面端面図
【図２７】クリップ部材に弾性部材を取り付ける手順を説明する図
【図２８】取り付け後の状態を示す底面図
【図２９】取り付け後の状態を示す中央横断面図
【図３０】（ａ）、（ｂ）、（ｃ）、（ｄ）、（ｅ）は、クリップの断面端面図
【符号の説明】
【００７４】
１  クリップ部材
２  弾性部材
３  筒体
１１  表面部
１２  玉部
１３、２１３、３１３  係止部
２１  固定部
２２  湾曲部
２３、２２３、３２３  取付部
【図１】
0005280612.tif 000002
【図２】
0005280612.tif 000003
【図３】
0005280612.tif 000004
【図４】
0005280612.tif 000005
【図５】
0005280612.tif 000006
【図６】
0005280612.tif 000007
【図７】
0005280612.tif 000008
【図８】
0005280612.tif 000009
【図９】
0005280612.tif 000010
【図１０】
0005280612.tif 000011
【図１１】
0005280612.tif 000012
【図１２】
0005280612.tif 000013
【図１３】
0005280612.tif 000014
【図１４】
0005280612.tif 000015
【図１５】
0005280612.tif 000016
【図１６】
0005280612.tif 000017
【図１７】
0005280612.tif 000018
【図１８】
0005280612.tif 000019
【図１９】
0005280612.tif 000020
【図２０】
0005280612.tif 000021
【図２１】
0005280612.tif 000022
【図２２】
0005280612.tif 000023
【図２３】
0005280612.tif 000024
【図２４】
0005280612.tif 000025
【図２５】
0005280612.tif 000026
【図２６】
0005280612.tif 000027
【図２７】
0005280612.tif 000028
【図２８】
0005280612.tif 000029
【図２９】
0005280612.tif 000030
【図３０】
0005280612.tif 000031